(57)【特許請求の範囲】
【請求項１】
身体又は衣服に装着する時計において、
身体又は衣服に装着する装着部と、時刻を表示する表示部と、前記装着部と表示部を連結し、且つ、可撓性を有する連結部を備え、
前記表示部を装着部に着脱可能に係止する係止手段を備え、
前記係止手段は、前記装着部に対して、前記表示部の方向を変換させる方向変換機構を備え、
前記方向変換機構は、方向変換後の設定位置で表示部を固定する固定機能を備えたことを特徴とする時計。
【請求項２】
身体又は衣服に装着する時計において、
身体又は衣服に装着する装着部と、時刻等を表示する表示部と、前記装着部と表示部を連結する連結部を備え、
前記連結部は、装着部と表示部を離間する離間部材であり、
前記装着部又は表示部は、前記連結部を装着部又は表示部に収納して、装着部と表示部を近接した位置に保持する保持機構を備え、
前記連結部は、前記装着部に対して表示部の方向を変換する方向変換機構を備え、
前記方向変換機構は、方向変換後の設定位置で表示部を固定する固定機能を備えたことを特徴とする時計。
【発明の詳細な説明】
【０００１】
【発明の属する技術分野】
本発明は、身体又は衣服に装着し、装着したまま時計の時刻を認識して使用する時計に関する。
【０００２】
【従来の技術】
従来、身体に装着する衣服等の装着物に装着する懐中時計は、時計認識時にポケット内に収納された懐中時計又はぶら下がっている懐中時計を、ある種の動作によって、認識するようにして使用されている。
【０００３】
このような懐中時計は、懐中時計を衣服等に装着する装着部と、時計本体と前記装着部を連結する連結部を備えている。
【０００４】
その他、首飾りや指輪のように、身体に直接装着する装着部を有し、時刻認識とともに装飾性を発揮させる時計も使用されている。
【０００５】
【発明が解決しようとする課題】
しかし、前述のような懐中時計は、時刻を認識するために、ポケットに収納された時計の表示部を取り出したり、衣服等にぶら下がっている時計を披見者の見やすい位置まで表示部を移動する等のある種の動作が必要であり、利便性が悪かった。
【０００６】
例えば、従来の懐中時計は、装着部と時計本体部を連結するチェーン等の連結部材を備え、装着部を衣服等に装着した後、使用時以外は、時計本体を衣服のポケット等に収納する必要があった。また、前記従来の懐中時計を衣服のポケット等に収納しないと、チェーン等の連結部材がぶらぶらして装着した人の動作の邪魔になるという問題があった。
【０００７】
また、首飾りや指輪のように身体に直接装着する時計の場合は、身体からぶら下がっている首飾り状の時計を眼前に持っていったり、指に装着された指輪形状の時計を眼前に持っていって時刻を認識する等、装着した人の見やすい位置に、装着した人が手で表示部を移動させて時刻を認識していた。このため、前述のような動作を行わずに、時計を装着したまま時刻を認識したい場合は、不便であった。
【０００８】
そこで、本発明は前記問題点に鑑みて、衣服又は身体に装着する時計において、衣服又は身体に装着したまま邪魔になることなく、また、容易に時刻の認識が可能となる利便性のある時計を提供することを目的とする。
【０００９】
【課題を解決するための手段】
本願第１請求項に記載した発明は、身体又は衣服に装着する時計において、
身体又は衣服に装着する装着部と、時刻を表示する表示部と、前記装着部と表示部を連結し、可撓性を有する連結部を備え、前記表示部を装着部に着脱可能に係止する係止手段を備え、前記係止手段は、前記装着部に対して、前記表示部の方向を変換させる方向変換機構を備え、前記方向変換機構は、方向変換後の設定位置で表示部を固定する固定機能を備えた時計である。
【００１０】
このように、装着部に表示部を係止する係止手段を備えていると、表示部が装着部からぶらぶらして邪魔になることがなくなる。また、使用に応じて、装着部に係止されている表示部を着脱して、披見者の見やすい位置で表示部を認識することができ、容易に時刻等を認識することができる。
【００１２】
更に、係止手段は、装着部に対して表示部の方向を変換させる方向変換機構を備えているため、装着部に表示部を係止したまま披見者の見やすい位置に、表示部の方向を変換させることができ、そして、その位置で表示部が固定されるため、時刻の認識が容易となる。
【００１３】
方向変換機構は、例えば、係止手段に備えられた軸受内に、表示部に備えられた軸が係合し、前記軸を中心として、係止手段に対して表示部を回動させ、前記表示部を装着部に対して方向変換ができるようにしている。
【００１４】
また、固定機能は、例えば、軸と軸受の摩擦力、又は軸に対する軸受の圧力によって、方向変換後の表示部を方向変換した位置で固定できるようにしている。
【００１５】
従って、衣服等に時計を装着したまま、披見者が片手で簡単に方向変換機構を作動して、披見者の見やすい位置に表示部を設定し、設定後は、披見者が時計に触れることなく、時刻を認識できる。
【００１６】
本願第２請求項に記載した発明は、身体又は衣服に装着する時計において、身体又は衣服に装着する装着部と、時刻等を表示する表示部と、前記装着部と表示部を連結する連結部を備え、前記連結部は、装着部と表示部を離間する離間部材であり、前記装着部又は表示部は、前記連結部を装着部又は表示部に収納して、装着部と表示部を近接した位置に保持する保持機構を備え、前記連結部は、前記装着部に対して表示部の方向を変換する方向変換機構を備え、前記方向変換機構は、方向変換後の設定位置で表示部を固定する固定機能を備えたことを特徴とする時計である。
【００１７】
このように、時計の連結部は、装着部と表示部を離間する部材であり、かつ、前記連結部を装着部又は表示部に収納して、装着部と表示部を近接した位置に保持する保持機構を備えているため、連結部が邪魔になることなく、時計を衣服等に装着しておくことが可能である。また、使用に応じて、装着部から表示部を連結部によって離間させて、披見者の見やすい位置に表示部を設定して時刻を認識することができる。
【００１９】
また、装着部と表示部を連結する連結部は、装着部に対して表示部の方向を変換する方向変換機構を備えているため、装着部と表示部を近接した位置に保持した場合であっても、表示部の方向を変換させて披見者の見やすい位置に表示部の方向を変換し、方向変換後の位置で表示部が固定される。従って、衣服等に衣服等に時計を装着したまま、披見者が片手で簡単に方向変換機構を作動して、披見者の見やすい位置に表示部を設定し、設定後は、披見者が時計に触れることなく、時刻を認識することができる。
【００２４】
【発明の実施の形態】
以下に、本発明の具体例を図面に基いて説明する。
【００２５】
図１は、本発明に係る時計の第１の具体例を示す図である。
【００２６】
図１に示すように、本発明に係る時計１は、衣服等に装着する装着部２と、時刻等を表示する表示部３と、前記装着部２と表示部３を連結する連結部４とを備えている。
【００２７】
本例の時計１では、装着部２に、ピン２ａが設けられ、衣服等に装着可能となっている。また、装着部２には、表示部３を装着部２に係止する係止用部６が設けられている。係止用部６は、後述する表示部３に設けられた係止部材５を係合するための穴である。
【００２８】
図２は、前記時計１の概略構成を示す断面図である。
【００２９】
図２に示すように、表示部３に設けられた係止部材５は、一方の端に、前記係止用部６に係合した後、抜け止め防止のための小径部５ａと大径部５ｂを備えている。また、係止用部６も、前記係止部材５が通過可能となる係止孔６ａと前記大径部５ｂが係止される大径穴６ｂを有している。従って、係止用部６に係止部材５が挿入されると、小径部５ａと大径部５ｂ、及び、係止孔６ａと大径穴６ｂの係止機構により、容易に着脱可能となるように、装着部２に表示部３が係止される。
【００３０】
前述のように、時計１は、装着部２と表示部３がワイヤー又はチェーン等の可撓性のある部材で係止された連結部４で接続された状態となっているが、表示部３を装着部２に係止する係止手段となる係止部材５及び係止用部６を備えているため、連結部がぶらぶらして動作の邪魔にならないようにされている。
【００３１】
また、表示部３は、係止部材５に対し、表示部３の方向を変換できる機構が備えられている。
【００３２】
すなわち、図３に示すように、表示部３に軸受部３ａが設けられ、係止部材５には、前記小径部５ａ及び大径部５ｂが形成されていない他端に軸受５ｃが設けられている。表示部３と係止部材５は、前記軸受部３ａと軸受５ｃの双方を挿通する軸７によって、連結されている。
【００３３】
従って、軸７を中心として、表示部３が係止部材５に対して回動することにより、係止部材５に対して表示部３の方向を変換できるようにしている。方向変換後は、方向変換後の位置で表示部３が固定される。すなわち、軸受５ｃの軸に対する圧力又は摩擦力によって、方向変換した位置で表示部３が固定される。
【００３４】
このため、披見者の見やすい位置で、衣服等に時計１を装着したまま時刻を認識することができ、利便性が向上する。
【００３５】
その他、図４に示すように、表示部３に先端が球体となっている球体ピン３ｂが設けられ、係止部材５に前記球体ピン３ｂを係合する球体軸受５ｄが形成され、前記球体ピン３ｂを球体軸受５ｄにして、表示部３と係止部材５が連結されている。従って、前記球体軸受５ｄに嵌合した球体ピン３ｂを球体軸受５ｄ内で移動することにより、係止部材５に対して表示部３の方向を上下左右に方向変換できる。
【００３６】
また、前記球体軸受５ｄ内部は、球体ピン３ｂの嵌合する球体部分よりもやや小さくできており、球体ピン３ｂを移動させた位置で球体軸受５ｄ内で固定する。従って、球体ピン３ｂは、球体軸受５ｄからの圧力又は球体ピン３ｂと球体軸受５ｄ間の摩擦力によって、移動位置で固定され、表示部３は、方向変換した位置で固定される。
【００３７】
このように、表示部３の方向を上下左右に自由に変換できる機構が備えられていると、装着部２に表示部３を係止したまま、披見者の見やすい位置に表示部３の方向を上下左右に自由に変換し、披見者の任意に設定した位置で時刻を認識することができるため、利便性が向上する。
【００３８】
また、披見者が片手で簡単に方向変換機構（球体ピン３ｂ及び球体軸受５ｄ）を作動して、披見者の見やすい位置に表示部３を設定し、設定位置で表示部３が固定されるため、設定後は、披見者が時計に触れることなく、時刻を認識でき、利便性が向上する。
【００３９】
図５は、時計１の使用の一状態を示す図である。図５に示すように、時計１を装着した披見者は使用に際して、装着部２に係止された表示部３を装着部２の係止用部６から係止部材５を着脱し、披見者が見やすい位置に表示部３を移動させて時刻を認識することができ、例えば、対象物と比較しつつ時刻を認識したい場合等、使用状況に併せて使用状態を変えることができ、利便性が向上する。
【００４０】
図６は、本発明の第２の具体例に係る時計１１の概略構造を示す構成図である。また、図７は、図６に示す時計の概略構成を示す断面図である。
【００４１】
図６に示すように、本例の時計１１は、ポケット等に装着するクリップ状の装着部１２と、時刻を表示する表示部１３と、装着部１２と表示部１３を連結する薄板状の連結部１４を備えている。前記装着部１２には連結部１４を係合して収納する係止溝１２ａを備えている。前記連結部１４は、表示部１３の方向を自由に変換できる方向変換機構を備えている。
【００４２】
すなわち、図７に示すように、表示部１３は、先端が球体となっている球体ピン１３ａを備えている。また、前記連結部１４は、一端に前記球体ピン１３ａと嵌合する球体軸受１４ａを備えている。従って、前記球体ピン１３ａを連結部１４の球体軸受１４ａ内で移動させると、連結部１４に対して表示部１３を上下左右に自由に方向変換できる。また、方向変換後は、前述したように球体ピン１３ａは、移動したままの状態で球体軸受１４ａ内に圧力又は摩擦力によって固定されるため、方向変換後の設定位置で表示部１３が固定される。
【００４３】
従って、披見者の見やすい位置に容易に時計１１の表示部１３を設定でき、方向変換後の位置で時刻の認識ができるため、利便性が向上する。
【００４４】
また、連結部１４は、他端に軸受１４ｂを備えており、装着部１２の軸受部１２ｂと前記軸受１４ｂを連通する軸１５によって、連結されている。従って、軸１５を中心として連結部１４を回動することにより、装着部１２に対して、連結部１４を上下に方向変換可能としている。また、回動後の位置で連結部１４が固定されるため、披見者の見やすい設定位置で表示部１３を認識することができる。
【００４５】
また、時計１１は、図８に示すように、装着部１２に形成された係止溝１２ａに連結部１４を係合して収納するようにしている。
【００４６】
従って、時計１１を使用する際には、時計１１を装着した披見者の選択によって、連結部１４を溝部１２ｂに係合して収納し、前記変換機構（球体ピン１３ａ及び球体軸受１４ａ）によって表示部１３の方向を自由に変換することにより、時計１１を衣服に装着したまま、披見者は容易に時刻の認識を行うことができる。
【００４７】
また、用途に応じて、披見者は片手で装着部１２の係止溝１２ａから連結部１４を取り外し、表示部１３を装着部１２から有る程度離して、任意の位置に表示部１３を設定することが可能となり、時刻の認識が容易となる。
【００４８】
このように、披見者の用途に応じて、片手で簡単に表示部１３の方向変換や、連結部１４の取り外し等による表示部１３の位置設定が可能となるため、時刻の認識が容易となり、利便性が向上する。
【００４９】
図９は、本発明の第３の具体例に係り、時計２０の概略構成を示す図である。
【００５０】
図９に示すように、本例に係る時計２０は、クリップ状の装着部２１と、表示部２２と、前記装着部２１と表示部２２を連結する連結部２３を備えている。
【００５１】
本例の時計２０は、表示部２２内に、連結部２３であるワイヤーを巻き取って、表示部２１内に収納するリール２５を備えている。
【００５２】
図１０は、時計２０の内部構造を示す断面図である。
【００５３】
図１０に示すように、本例の時計２０は、表示部２２の下部に、連結部２３の収納部２２ａを備えている。収納部２２ａ内には、連結部２３を巻き取って収納する枢軸２５ａと、前記枢軸２５ａに取付けられた弦巻ばね２５ｂを備えている。
【００５４】
図１１は、リール２５の概略構成を示す図である。すなわち、図１１に示すように、弦巻ばね２５ｂはその一端が表示部２２の収納部２２ａの壁面に固定され、他端が枢軸２５ａに固定されている。装着部２１に表示部２２が近接している状態では、枢軸２５ａに連結部２３が巻き付いている。枢軸２５ａから連結部２３が引っ張られて、装着部２１から表示部２２が離れると、弦巻ばね２５ｂが反対に枢軸２５ａに巻き付き枢軸２５ａに回転力を付勢する。
【００５５】
従って、図１２に示す時計２０の一使用状態のように、表示部２２を引っ張って装着部２１から離していた披見者が手を離すと、弦巻ばね２５ｂによって回転力を付勢された枢軸２５ａが反対方向に回転し、枢軸２５ａから巻離された連結部２３を再び枢軸２５ａに自動的に巻き取って、装着部２１と表示部２２を近接した位置に保持する。
【００５６】
本例の時計２０は、装着部２１と表示部２２を近接した位置に保持することができるので、邪魔になることなく、時計２０を衣服に装着しておくことができる。一方、図１２に示すように、使用に応じて、披見者の見やすい任意の位置まで、表示部２２を装着部２１から離間して時刻を認識することが可能となり、利便性が向上する。本例の時計２０は、装着部２１に近接した位置に保持されている表示部２２を、片手で容易に離間して時刻を認識することが可能となり、その後、自動的に連結部２３が巻き取られて装着部２１に表示部２２を近接して保持することができるため、利便性が向上する。
【００５７】
次に本発明の第４の具体例について説明する。
【００５８】
図１３は、本発明の第４の具体例の係り、時計３０の概略構成を示す図である。図１３に示すように、本例の時計３０は、クリップ状の装着部３１と、表示部３２と、連結部３３を備えている。時計３０は、連結部３３を装着部３１内部に収納し、装着部３１と表示部３２を近接して保持できる機構を備えている。
【００５９】
また、本例の時計３０は、詳細な図示を省略したが、表示部３２は軸受部を備え、一方、連結部３３も前記表示部３２の軸受部と同一軸が挿通される軸受部を備え、表示部３２と連結部３３に設けられた軸受に挿通する軸を設けている。
【００６０】
従って、前記軸を中心として、表示部３２を上下に回動して、装着部３１又は連結部３３に対して表示部３２を自由に方向変換でき、前記軸と軸受の圧力又は摩擦力によって、方向変換した位置で表示部３２を固定できるようになっている。
【００６１】
図１４は、時計３０の内部の概略構造を示す断面図である。図１３に示すように、装着部３１は、連結部３３を収納する収納部３１ａを備え、収納部３１ａには、一端が連結部３３に固定され、他端が収納部３１ａ内壁に固定されたばね体３１ｂを備えている。
【００６２】
従って、連結部３３を収納部３１ａから引っ張り出し、表示部３２を装着部３１から引き離して、時刻を認識することが可能となる。また、例えば、披見者が表示部３２を持って、連結部３３を収納部３１ａから引き離していた手を離すと、ばね体３１ｂの弾性力によって、連結部３３が収納部３１ａ内に自動的に収納される。
【００６３】
すなわち、図１５に示すように、装着部３１と表示部３２を近接した位置に保持することができ、時計３０が邪魔になることなく、衣服等に時計３０が装着されるとともに、装着部３１と表示部３２を近接した位置で、表示部３２を披見者の見やすい位置に方向を変換することが可能であり、利便性が向上する。
【００６４】
図１６は、本発明の第５の具体例に係り、時計４０を示す図である。
【００６５】
図１６に示すように、時計４０の表示部４２は、ボールペン等のキャップ４１に連結部４３を介して取付けられている。本例においては、前記キャップ４１は、衣服等に時計４０を装着する装着部となっている。また、連結部４３は、詳細な図示を省略したが、表示部４２に備えられた球体ピンと、キャップ４１に備えられた球体軸受から構成されており、連結部４３は、表示部４２とキャップ４１を連結するとともに、球体ピンを球体軸受の中で移動させて、表示部４２をキャップ４１に対して上下左右に自由に方向変換できる機構となっている。また、前記球体ピン及び球体軸受の圧力又は摩擦力によって、方向変換した位置で表示部１４が固定される。
【００６６】
従って、図１７に示すように、ボールペン等を衣服の胸ポケットに装着した場合、時計４０をポケットに装着したまま、表示部４２を披見者の見やすい位置に自由に方向変換して時刻を認識することが可能となり、利便性が向上する。
【００６７】
また、本例においては、ボールペン等の筆記具のキャップ４１を装着部として時計４０を形成したが、筆記具のキャップ４１に限らず、図１８に示すように、例えば、ペン型のライトの先端部に設けた時計５０（図１８（ａ）参照）、体温計ケースの先端部に設けた時計６０（図１８（ｂ）参照）のように、他の物に取付けた時計でもよい。
【００６８】
図１９は、本発明の第６の具体例に係り、時計７０を示す概略構成を示す図である。
【００６９】
図１９に示すように、時計７０は、ＩＤカード等を入れる提示部７１と、衣服等に時計７０を装着するピン状の装着部７２を備えている。また、提示部７１には、時計７０の時刻を表示する表示部７３が設けられている。この表示部７３の下部には、表示部７３とは別体の反射部材７４が設けられている。
【００７０】
詳細な図示を省略したが、表示部７３は、軸受部を備え、一方、反射部材７４も前記表示部７３の軸受部に嵌合する軸受部を備え、前記表示部７３及び反射部材７４の双方の軸受部に挿通される軸によって、表示部７３及び反射部材７４が連結されている。
【００７１】
従って、本例の時計７０は、前記軸を中心として、反射部材７４を表示部７３に対して回動し、表示部７３に対して、反射部材７４の方向を容易に変換できる方向変換機構７５となっており、軸に対する軸受の圧力又は摩擦力によって、反射部材７４を方向変換した位置で固定できるようにしている。
【００７２】
また、反射部材７４は、表示部７３に表示された時刻等の情報を反射して写しだす鏡面を有し、反射部材７４に表示部７３が映し出される。
【００７３】
従って、方向変換機構７５を可動して、反射部材７４を披見者の見やすい位置に方向を変換させ、反射部材７４に写し出された表示部３７によって、容易に時刻を認識することが可能となる。
【００７４】
例えば、図２０は、時計７０の一使用状態を示す図である。図２０に示すように、時計７０を披見者の衣服等に装着した後、反射部材７４の方向を変換して表示部７３を反射させ、衣服等に時計７０を装着したまま、披見者は、容易に時刻の認識ができる。また、反射部材７４は、片手で容易に方向変換及び任意位置に設定できるため、利便性が向上する。
【００７５】
なお、表示部７３に設ける文字盤等は、反射部材７４に写し出された場合に、披見者の認識しやすいように、文字盤等や指針の動きを通常の時計と反時計方向に動くように設定している。従って、表示部７３を反射部材７４に写し出すことによって、時刻の認識ができる。
【００７６】
図２１は、本発明の第７の具体例に係り、時計８０を示す概略構成を示す図である。
【００７７】
図２１に示すように、時計８０は、身体に装着する首飾り状の装着部８１と、表示部８２と、装着部８１と表示部８２を連結する連結部８３を備えている。
【００７８】
装着部８１及び表示部８２には、相互に軸が連通する軸受部が形成され、装着部８１及び表示部８２の相互の軸受部に軸が挿通されて、連結部８３が構成されている。従って、前記軸を中心として、表示部８２を装着部８１に対して自由に方向変換できるようにしている。
【００７９】
また、本例の連結部８３は、装着部８１に対して表示部８２の方向を変換した後、方向変換後の位置で、表示部８２を固定する固定機能を備えている。すなわち、軸に対する軸受の圧力又は軸と軸受の摩擦力により表示部８２を披見者の見やすい位置に固定可能としている。
【００８０】
従って、衣服等に時計を装着したまま、披見者が片手で簡単に方向変換機構を作動して、披見者の見やすい位置に表示部８２を設定し、設定後は、披見者が時計８０に触れることなく、時刻の認識ができ、利便性が向上する。
【００８１】
【発明の効果】
このように、本発明は、身体又は衣服に装着する時計において、身体又は衣服に装着する装着部と、時刻を表示する表示部と、前記装着部と表示部を連結し、可撓性を有する連結部を備え、前記表示部を装着部に着脱可能に係止する係止手段を備えた時計である。
【００８２】
このように、装着部に表示部を係止する係止手段を備えていると、表示部が装着部からぶらぶらして邪魔になることがなくなる。また、使用に応じて、装着部に係止されている表示部を着脱して、披見者の見やすい位置で表示部を認識することができ、容易に時刻等を認識することができ、利便性が向上する。
【００８３】
また、本発明の時計において、前記係止手段は、前記装着部に対して、前記表示部の方向を変換させる方向変換機構を備え、前記方向変換機構は、方向変換後の設定位置で表示部を固定する固定機能を備えた時計である。
【００８４】
このように、係止手段は、装着部に対して表示部の方向を変換させる方向変換機構を備えているため、装着部に表示部を係止したまま披見者の見やすい位置に、表示部の方向を変換させ、その位置で表示部が固定されるため、時刻の認識が容易となり、利便性が向上する。
【００８５】
また、本発明は、身体又は衣服に装着する時計において、身体又は衣服に装着する装着部と、時刻等を表示する表示部と、前記装着部と表示部を連結する連結部を備え、前記連結部は、装着部と表示部を離間する離間部材であり、前記装着部又は表示部は、前記連結部を装着部又は表示部に収納して、装着部と表示部を近接した位置に保持する保持機構を備えている時計である。
【００８６】
このように、時計の連結部は、装着部と表示部を離間する部材であり、かつ、前記連結部を装着部又は表示部に収納して、装着部と表示部を近接した位置に保持する保持機構を備えているため、連結部が邪魔になることなく、時計を衣服等に装着しておくことが可能である。また、使用に応じて、装着部から表示部を連結部によって離間させて、披見者の見やすい位置に表示部を設定して時刻を認識でき、利便性が向上する。
【００８７】
また、本発明の時計において、前記時計の前記連結部は、前記装着部に対して表示部の方向を変換する方向変換機構を備え、前記方向変換機構は、方向変換後の設定位置で表示部を固定する固定機能を備えた時計である。
【００８８】
このように、装着部と表示部を連結する連結部は、装着部に対して表示部の方向を変換する方向変換機構を備えているため、装着部と表示部を近接した位置に保持した場合であっても、表示部の方向を変換させて披見者の見やすい位置に表示部の方向を変換し、方向変換後の位置で表示部が固定される。従って、衣服等に衣服等に時計を装着したまま、披見者が片手で簡単に方向変換機構を作動して、披見者の見やすい位置に表示部を設定し、設定後は、披見者が時計に触れることなく、時刻を認識でき、利便性が向上する。
【００９３】
【図面の簡単な説明】
【図１】本発明の第１の具体例に係り、時計の概略構成を示す図である。。
【図２】図１に示す時計の概略構成を示す断面図である。
【図３】本発明の他の具体例に係り、時計の概略構成を示す断面図である。
【図４】本発明の他の具体例に係り、時計の概略構成を示す断面図である。
【図５】本発明の第１の具体例に係る時計の一使用状態を示す図である。
【図６】本発明の第２の具体例に係り、時計の概略構成を示す図である。
【図７】図６に示す時計の概略構成を示す断面図である。
【図８】図６に示す時計の一使用状態を示す図である。
【図９】本発明の第３の具体例に係り、時計の概略構成を示す図である。
【図１０】図９に示す時計の概略構成を示す断面図である。
【図１１】図９に示す時計の構成の一部を説明する図である。
【図１２】図９に示す時計の一使用状態を示す図である。
【図１３】本発明の第４の具体例に係り、時計の概略構成を示す図である。
【図１４】図１３に示す時計の概略構成を示す断面図である。
【図１５】図１３に示す時計の一使用状態を示す図である。
【図１６】本発明の第４の具体例に係り、時計の概略構成を示す図である。
【図１７】図１６に示す時計の方向を変換する機構を説明する図である。
【図１８】本発明の第４の具体例に係り、（ａ）、（ｂ）は、時計の概略構成を示す図である。
【図１９】本発明の第６の具体例に係り、時計の概略構成を示す図である。
【図２０】図１９に示す時計の一使用状態を示す図である。
【図２１】本発明の第７の具体例に係り、時計の概略構成を示す図である。
【符号の説明】
１    時計
２    装着部
２ａ  ピン
３    表示部
３ａ    軸受部
３ｂ    球体ピン
４    連結部
５    係止用部
５ａ    小径部
５ｂ    大径部
５ｃ    軸受
５ｄ    球体軸受
６    係止用穴
６ａ    小径孔
６ｂ    大径穴
７    軸
１１    時計
１２    装着部
１２ａ    係止溝
１２ｂ    軸受部
１３    表示部
１３ａ    球体ピン
１４    連結部
１４ａ    球体軸受
１４ｂ    軸受
１５    軸
２０    時計
２１    装着部
２１ａ    軸受部
２２    表示部
２２ａ    収納部
２３    連結部
２３ａ    軸受
２４    軸
２５    リール
２５ａ    枢軸
２５ｂ    弦巻ばね
３０    時計
３１    装着部
３１ａ    収納部
３２    表示部
３３    連結部
３４    方向変換機構
３５    ばね体
４０    時計
４１    キャップ
４２    表示部
４３    連結部
５０    時計
６０    時計
７０    時計
７１    提示部
７２    装着部
７３    表示部
７４    反射部材
７５    方向変換機構
８０    時計
８１    装着部
８２    表示部
８３    連結部
【図１】
0003616272.tif 000002
【図２】
0003616272.tif 000003
【図３】
0003616272.tif 000004
【図４】
0003616272.tif 000005
【図５】
0003616272.tif 000006
【図６】
0003616272.tif 000007
【図７】
0003616272.tif 000008
【図８】
0003616272.tif 000009
【図９】
0003616272.tif 000010
【図１０】
0003616272.tif 000011
【図１１】
0003616272.tif 000012
【図１２】
0003616272.tif 000013
【図１３】
0003616272.tif 000014
【図１４】
0003616272.tif 000015
【図１５】
0003616272.tif 000016
【図１６】
0003616272.tif 000017
【図１７】
0003616272.tif 000018
【図１８】
0003616272.tif 000019
【図１９】
0003616272.tif 000020
【図２０】
0003616272.tif 000021
【図２１】
0003616272.tif 000022